(57)【要約】      （修正有）【課題】簡便かつ正確に所定の位置、勾配で固定することができる軒樋吊具を提供する。【解決手段】軒樋を支持する支持部２と、支持部２後方で鼻隠し板に固定される固定部３を備えた軒樋吊具１であって、固定部３は透明材からなるとともに、鼻隠し板との当接面３aには、水平方向に直線状の突起９または溝１１を設ける。突起９又は溝１１は、固定部３の鼻隠し板との当接面３ａの両側端部のそれぞれに１または２以上設けられる。【選択図】図１
2010255306.tif 000002
【特許請求の範囲】
【請求項１】
軒樋を支持する支持部と、支持部後方で鼻隠し板に固定される固定部とを備えた軒樋吊具であって、固定部は、透明材からなるとともに、鼻隠し板との当接面には、水平方向に直線状の突起または溝が設けられていることを特徴とする軒樋吊具。
【請求項２】
突起または溝は、固定部の鼻隠し板との当接面の両側端部のそれぞれに１または２以上設けられるとともに、両側端部の突起または溝が、水平方向の同一直線上に配置されていることを特徴とする請求項１に記載の軒樋吊具。
【請求項３】
固定部の鼻隠し板との当接面は凹部を有し、この凹部に突起が設けられていることを特徴とする請求項１または２に記載の軒樋吊具。
【発明の詳細な説明】
【技術分野】
【０００１】
本発明は、軒樋吊具に関する。
【背景技術】
【０００２】
従来より、軒先に軒樋を取り付けるための軒樋吊具として、様々な構成を有するものが提供されている。一般には、例えば、図４に例示するように、軒樋吊具１は、軒樋の耳部を保持し、軒樋を支持する支持部２と、この支持部２の後方で、鼻隠し板５に固定される固定部３とを備えている。
【０００３】
軒樋吊具１は、固定部３において、垂直面４を軒先に設けられた鼻隠し板５に当接させ、固定部３に形成された前後方向に貫通する取付孔６を通じて固着具としての釘またはビスを鼻隠し板５に打込み、または螺入して軒先に取り付けられ、固定される。
【０００４】
そして、通常は、複数個の軒樋吊具１を所定間隔で鼻隠し板５に配設、固定し、樋の水の流れを好適にするための水勾配をつけている。このため複数の軒樋吊具１の各々の固定部３を、所定の高さ、かつ所定の勾配で正確に固定する必要がある。そこで、一般的には、例えば、軒先に水糸を張ったり、基準線を設けたりして、これらを基準にして軒樋吊具１を位置などを調整し、固定していた。
【０００５】
しかしながら、このような作業は、高度な技術を必要とする上、作業負担も大きいため、簡便かつ正確に固定可能な軒樋吊具が望まれていた。
【０００６】
そこで、所定の高さに固定可能な構成を有する軒樋吊具として、例えば、図５に示すように、固定部３の両側面に突起７を設けた軒樋吊具１が開発されている。この軒樋吊具１においては、突起７の先端を所定の位置に張られた水糸の位置と一致させることで、所定の高さ、勾配での固定を可能としている。
【０００７】
一方、固定部に目盛線を列設し、この目盛線と基準線とを位置合わせすることで、所定の高さ、勾配での固定が可能な軒樋吊具も提案されている（例えば、特許文献１、２）。
【先行技術文献】
【特許文献】
【０００８】
【特許文献１】特開平09-111977号公報
【特許文献２】特開平09-132955号公報
【発明の概要】
【発明が解決しようとする課題】
【０００９】
しかしながら、図５に例示する軒樋吊具１は、目安となる突起７を目視可能な程度に大きく設ける必要があり、さらに、正確な位置合わせをするためには、突起７を鋭角に形成する必要がある。このため、軒樋吊具１の形状設計に大きな制限があり、加工コストも増え、さらに、他の材料とともに運搬等される場合には、突起７が破損する恐れがあるとともに、他の材料を傷つけてしまうという問題がある。また、材料コストとしても、突起７の重量は無視できない。
【００１０】
一方、特許文献１、２のように、軒樋吊具の固定部に目盛りを設けることは、非常に手間、コストがかかるものであるとともに、固定部の両側辺が、垂直である必要があることから、軒樋吊具の形状設計に大きな制限があった。さらに、軒樋吊具を固定する際には、外見上、位置合わせの基準線が固定部によって途切れるため、基準線と固定部上の目盛りとが直線状につながるように調整する必要がある。しかしながら、鼻隠し板固定部の厚みによって、基準線と鼻隠し板固定部上の目盛りとに段差が生じるため、正確に基準線と目盛りとを直線配置することができず、結果として、正確に所定の位置、勾配で軒樋吊具を固定することは容易ではなかった。
【００１１】
本発明は、以上のような事情に鑑みてなされたものであり、簡便かつ正確に所定の位置、勾配で固定することができる軒樋吊具を提供することを課題としている。
【課題を解決するための手段】
【００１２】
本発明の軒樋吊具は、上記の課題を解決するため、第１には、軒樋を支持する支持部と、鼻隠し板に固定される固定部とを備えた軒樋吊具であって、固定部は、透明材からなるとともに、鼻隠し板との当接面には、水平方向に直線状の突起または溝が設けられていることを特徴としている。また、第２には、突起または溝は、固定部の鼻隠し板との当接面の両側端部のそれぞれに１または２以上設けられるとともに、両側端部の突起または溝が、水平方向の同一直線上に配置されていることを、第３には、固定部の鼻隠し板との当接面は凹部を有し、この凹部に突起が設けられていることを特徴としている。
【発明の効果】
【００１３】
上記第１の発明によれば、固定部が透明材からなるため、突起または溝が、軒樋吊具の正面から視認可能であり、さらに、外見上、基準線が固定部の上で途切れることがないため、突起または溝の水平方向と基準線とを軒樋吊具の正面から容易に一致させることができ、軒樋吊具を、簡便かつ正確に位置決め、固定することができる。さらに、軒樋吊具の固定部に特殊な加工を要することもないため、加工コストを安価に抑えることができ、また、軒樋吊具の形状設計の自由度も確保できる。
【００１４】
上記第２の発明によれば、固定部の鼻隠し板との当接面の両側端部のそれぞれに、突起または溝が水平方向の同一直線上に配置されているため、２箇所で突起と基準線とを軒樋吊具の正面から容易に一致させることができ、さらに簡便かつ正確に軒樋吊具を固定することができる。特に、基準線によって小さな勾配が設定されているような場合においても、正確に軒樋吊具を調整し、固定することができる。
【００１５】
上記第３の発明によれば、上記の効果に加え、固定部の鼻隠し板との当接面に、凹部を有し、この凹部に突起が設けられているため、突起が鼻隠し板と接触することがなく、軒樋吊具を安定的に固定することができる。
【図面の簡単な説明】
【００１６】
【図１】（A）は、本発明の軒樋吊具の一実施形態を例示する鼻隠し板側からの斜視図であり、（B）は、前記（A）における矢視断面図である。
【図２】図１に例示する軒樋吊具の正面図である。
【図３】固定部の鼻隠し板との当接面に溝を設けた場合の断面概要図である。
【図４】一般的な軒樋吊具を例示する説明図である。
【図５】従来の軒樋吊具を例示する外観図である。
【発明を実施するための形態】
【００１７】
本発明の軒樋吊具は、前記のとおり、軒樋を支持する支持部と、支持部の後方で鼻隠し板に固定される固定部とを備えている。さらに、本発明の軒樋吊具の固定部は、鼻隠し板との当接面に、水平方向に直線状の突起または溝が設けられている。
【００１８】
以下、本発明の実施形態についてさらに詳しく説明する。
【００１９】
図１（A）は、本発明の軒樋吊具の一実施形態を例示する鼻隠し板側からの斜視図であり、図１（B）は、図１（A）における突起を示す矢視断面図である。また、図２は、図１に例示する軒樋吊具の正面図である。
【００２０】
図１（A）に例示する軒樋吊具１の固定部３は透明材からなる。具体的には、例えば、ポリカーボネートなどの合成樹脂材料を使用することができる。また、固定部３には、取付孔６が設けられ、この取付孔６を通じて釘またはビスなどの固着具による鼻隠し板５への打込みまたは螺入を行う。したがって、透明材の強度は、これらの固着具の固着圧を許容できる強度を有しているものとする。
【００２１】
そして、図１に例示する形態においては、固定部３の鼻隠し板との当接面３aの両側端部に、それぞれ凹部８が設けられ、この凹部８には、それぞれ水平方向に直線状の突起９が１つずつ設けられている。そして、この２つの突起９は、図１（Ａ）においての点線で示すように、水平方向の同一直線上に配置されている。なお、この凹部８は、突起９が鼻隠し板と接触することによって、固定部３の安定性を害することがないように設けられるものであって、図１（B）に例示するように、突起９が、当接面３aから突出しないように設けられている。したがって、鼻隠し板との当接面３aに突起９を設ける場合には、上記の観点から、凹部８に突起を設けることが好ましいが、必ずしもこの凹部８は必要なく、また、凹部８を設ける場合にも、図１に例示する形態に限定されるものではない。
【００２２】
そして、本発明の軒樋吊具１は、上記の通り、固定部３が透明材からなるため、図２に例示するように、突起９が、軒樋吊具１の正面から視認可能である。さらに、外見上、鼻隠し板において所定の高さおよび勾配に設定された基準線が、固定部の上で途切れることがないため、突起の水平方向と基準線とを軒樋吊具の正面から容易に一致させることができ、軒樋吊具を、簡便かつ正確に固定することができる。
【００２３】
また、本発明の軒樋吊具１は、突起９が鼻隠し板との当接面３aに設けられているため、前記特許文献１、２のような、固定部３の厚みによる位置合わせへの悪影響は全くなく、さらに、固定部３の側端部の形状も大きく制限されないため、軒樋吊具１の形状を自由に設計することができる。
【００２４】
また、突起９の軒樋吊具１の正面からの視認性は、鼻隠し板の色調による影響を受けないため、様々な色調の鼻隠し板に対応することができる。したがって、本発明の軒樋吊具１は、高い汎用性も有している。
【００２５】
ここで、突起９は、図１（A）（B）に例示する形態に限定されることはなく、様々な態様が可能である。具体的には、突起９の水平方向の長さは、基準線との位置合わせが容易な長さであればよく、特に限定されない。また、幅も、基準線に応じて適宜決定することができるが、軒樋吊具１をより正確に固定するためには、基準線と略同じ幅とすることが好ましい。さらに、突起９の高さも特に限定されず、軒樋吊具１の正面から視認可能で、固定部３の鼻隠し板への固定に影響を及ぼさない範囲とすることができる。また、突起９の断面形状は凸形状とされるが、具体的に限定されることはなく、例えば、図１（B）に例示するように、突起の先端を鋭角に形成することもできるし、また、丸みをもって形成することもできる。
【００２６】
さらに、突起９の配設位置、配設数も、図１（A）に例示する形態に限定されることはない。すなわち、突起９は、軒樋吊具１の正面側から視認可能な位置に適宜設けることができ、配設数も１または２以上とすることができる。ここで、軒樋吊具１を正確かつ簡便に固定するためには、突起９は、固定部３の鼻隠し板との当接面３aの両側端部のそれぞれに１または２以上設けられることが好ましく、この場合、両側端部の突起９は、水平方向の同一直線上に位置するように配設される。
【００２７】
そして、図１および図２に例示するように、固定部３の鼻隠し板との当接面３aに２つの突起９が配置される場合には、２箇所で突起９と基準線１０とを軒樋吊具１の正面から容易に一致させることができるため、軒樋吊具１の位置決めを簡便かつ正確に行うことができる。特に、基準線１０によって小さな勾配が設定されているような場合においても、正確に軒樋吊具１を調整し、固定することができる。
【００２８】
さらに、固定部３の鼻隠し板との当接面３aの両側端部のそれぞれに、２以上の突起９を設ける場合には、側端部において、突起９が並列することになるため、軒樋吊具１の固定位置の微調整も可能となる。
【００２９】
図３は、図１に例示する突起９に代えて、固定部３の鼻隠し板との当接面３aに、水平方向に直線状の溝１１を設けた場合の断面概要図である。このような溝１１を設けた場合にも、軒樋吊具１の正面から視認可能であるため、この溝１１が基準線と一致するように、軒樋吊具１を配置することで、簡便且つ正確に位置決めを行うことができる。
【００３０】
また、図１に例示する突起９と同様に、溝１１の水平方向の長さは、基準線との位置合わせが容易な長さであればよく、特に限定されない。また、幅も、基準線に応じて適宜決定することができるが、軒樋吊具１をより正確に固定するためには、基準線と略同じ幅とすることが好ましい。さらに、溝１１の深さも特に限定されず、軒樋吊具１の正面から視認可能であればよい。また、溝１１の断面形状は凹形状とされるが、具体的に限定されることはなく、例えば、図３に例示するように、溝１１の底部に丸みをもたせて形成することもできるし、鋭角な切込み状に形成することなどもできる。
【００３１】
このように、固定部３の鼻隠し板との当接面３aに、水平方向に直線状の溝１１を設けた場合にも、突起９を設けた場合と同様の効果が得られる。
【００３２】
なお、本発明の軒樋吊具における支持部、その他の構造は、特に限定されることはなく、様々な態様が可能である。例えば、図１および２においては、支持部２が、前後方向にスライド可能な形態を例示したが、このような構成は、適宜採用し得るものである。また、鼻隠し板との当接面３aには、仮留めのフランジなどの部材を適宜設けることもできる。この場合、基準線との位置合わせを容易にするため、部材は、透明材料とするのが好ましい。
【符号の説明】
【００３３】
１  軒樋吊具
２  支持部
３  固定部
３a  当接面
４  垂直面
５  鼻隠し板
６  取付孔
７  突起
８  凹部
９  突起
１０  基準線
１１  溝
【図１】
2010255306.tif 000003
【図２】
2010255306.tif 000004
【図３】
2010255306.tif 000005
【図４】
2010255306.tif 000006
【図５】
2010255306.tif 000007